(57)【要約】  【課題】家具における傾斜フレームに関連させてオプションを好適に支持させることができるようにしたオプションの取付構造を提供する。  【解決手段】オプション取付構造は、家具における水平フレームと傾斜フレームにオプションを支持させるようにしたものである。オプション取付構造において、オプションが、本体と、この本体に設けられ水平フレームと係わり合い少なくとも本体の前方及び下方への移動を規制し得る水平フレーム係合部と、本体に設けられ傾斜フレームと係わり合い少なくとも本体の後方への移動を規制し得る傾斜フレーム係合部とを備えている。このようなものであれば、家具における傾斜フレームに関連させてオプションを好適に支持させることができるようにしたオプションの取付構造を提供することができる。【選択図】図１
2018007720.tif 000002
【特許請求の範囲】
【請求項１】
家具における水平フレームと傾斜フレームにオプションを支持させるようにしたオプションの取付構造であって、
前記オプションが、本体と、この本体に設けられ前記水平フレームと係わり合い少なくとも前記本体の前方及び下方への移動を規制し得る水平フレーム係合部と、前記本体に設けられ前記傾斜フレームと係わり合い少なくとも前記本体の後方への移動を規制し得る傾斜フレーム係合部とを備えたオプションの取付構造。
【請求項２】
前記本体と前記水平フレーム係合部との間に前記傾斜フレームが位置することにより、前記本体の左右方向の移動が規制されている請求項１記載のオプションの取付構造。
【請求項３】
前記オプションが、金属製のフレーム部材を用いて籠状に形成された前記本体を備えた物品入れである請求項１又は２記載のオプションの取付構造。
【請求項４】
前記水平フレーム係合部が、側面視において前記水平フレームを囲む下向きコ字状の部分を備えている請求項１、２又は３記載のオプションの取付構造。
【請求項５】
前記傾斜フレーム係合部が、正面視において前記傾斜フレームを囲むコ字状の部分を備えている請求項１、２、３又は４記載のオプションの取付構造。
【請求項６】
前記水平フレーム係合部及び前記傾斜フレーム係合部が、それぞれ前記本体の内側部に設けられたものであり、
前記傾斜フレーム係合部が、正面視において前記水平フレーム係合部よりも下に配設されている請求項１、２、３、４又は５記載のオプションの取付構造。
【請求項７】
前記水平フレームの一端が前記傾斜フレームの内側部に接続したものであり、前記傾斜フレームよりも外側に前記本体が位置している請求項１、２、３、４、５又は６記載のオプションの取付構造。
【請求項８】
前記傾斜フレーム係合部が、前記傾斜フレームと係わり合い前記本体における前方及び上方への移動を規制し得る移動規制部材を備えている請求項１、２、３、４、５、６又は７記載のオプションの取付構造。
【発明の詳細な説明】
【技術分野】
【０００１】
本発明は、家具に対するオプションの取付構造に関する。
【背景技術】
【０００２】
従来から、医療用資材等の物品を移動させるために、看護師や医療従事者等が使用する医療用ワゴンが知られている（例えば、特許文献１を参照）。かかる医療ワゴンには、例えば、手指を消毒するため消毒液入り容器等の物品を持ち運ぶために、オプションたる物品入れを後付けすることができると好ましい。
【０００３】
ところが、従来のものは、物品入れ等のオプションを簡単に後付けし難いものとなっていたり、後付け可能なものであってもそれを後付けするためにねじ等の止着具を必要としたりしているものが殆どであった。換言すれば、従来のものは、家具における基本的な構造を利用して比較的簡単にオプションを止着し得るという取付構造を有していなかった。
【０００４】
なお、以上の事情は、医療用ワゴンに限られるものではなく、家具全般においてオプションを取り付ける場合においても同様である。
【先行技術文献】
【特許文献】
【０００５】
【特許文献１】特開２００７−８２６６０号公報
【発明の概要】
【発明が解決しようとする課題】
【０００６】
本発明は、以上のような事情に着目してなされたもので、家具における傾斜フレームに関連させてオプションを好適に支持させることができるようにしたオプションの取付構造を提供することにある。
【課題を解決するための手段】
【０００７】
すなわち、本発明は次の構成をなしている。
【０００８】
請求項１に記載の発明は、家具における水平フレームと傾斜フレームにオプションを支持させるようにしたオプションの取付構造であって、前記オプションが、本体と、この本体に設けられ前記水平フレームと係わり合い少なくとも前記本体の前方及び下方への移動を規制し得る水平フレーム係合部と、前記本体に設けられ前記傾斜フレームと係わり合い少なくとも前記本体の後方への移動を規制し得る傾斜フレーム係合部とを備えたオプションの取付構造である。
【０００９】
請求項２に記載の発明は、前記本体と前記水平フレーム係合部との間に前記傾斜フレームが位置することにより、前記本体の左右方向の移動が規制されている請求項１記載のオプションの取付構造である。
【００１０】
請求項３に記載の発明は、前記オプションが、金属製のフレーム部材を用いて籠状に形成された前記本体を備えた物品入れである請求項１又は２記載のオプションの取付構造である。
【００１１】
請求項４に記載の発明は、前記水平フレーム係合部が、側面視において前記水平フレームを囲む下向きコ字状の部分を備えている請求項１、２又は３記載のオプションの取付構造である。
【００１２】
請求項５に記載の発明は、前記傾斜フレーム係合部が、正面視において前記傾斜フレームを囲むコ字状の部分を備えている請求項１、２、３又は４記載のオプションの取付構造である。
【００１３】
請求項６に記載の発明は、前記水平フレーム係合部及び前記傾斜フレーム係合部が、それぞれ前記本体の内側部に設けられたものであり、前記傾斜フレーム係合部が、正面視において前記水平フレーム係合部よりも下に配設されている請求項１、２、３、４又は５記載のオプションの取付構造である。
【００１４】
請求項７に記載の発明は、前記水平フレームの一端が前記傾斜フレームの内側部に接続したものであり、前記傾斜フレームよりも外側に前記本体が位置している請求項１、２、３、４、５又は６記載のオプションの取付構造である。
【００１５】
請求項８に記載の発明は、前記傾斜フレーム係合部が、前記傾斜フレームと係わり合い前記本体における前方及び上方への移動を規制し得る移動規制部材を備えている請求項１、２、３、４、５、６又は７記載のオプションの取付構造である。
【発明の効果】
【００１６】
以上説明したように本発明によれば、家具における傾斜フレームに関連させてオプションを好適に支持させることができるようにしたオプションの取付構造を提供することができるものとなる。
【図面の簡単な説明】
【００１７】
【図１】本発明の一実施形態を示す斜視図。
【図２】同実施形態における部分拡大正面図。
【図３】同実施形態における部分拡大背面図。
【図４】同実施形態における部分拡大右側面図。
【図５】図２におけるＸ−Ｘ線断面図。
【図６】図２におけるＹ−Ｙ線断面図。
【図７】図２におけるＺ−Ｚ線断面図
【図８】同実施形態におけるオプション（物品入れ）の斜視図。
【図９】同実施形態におけるオプション（物品入れ）の斜視図。
【発明を実施するための形態】
【００１８】
以下、本発明の一実施形態を、図１〜９を参照して説明する。
【００１９】
この実施形態は、本発明を、家具である医療用ワゴンＷに、オプションである物品入れＥを取り付けるための構造に適用したものである。医療用ワゴンＷは、病院等の医療機関において好適に用いられるものである。医療用ワゴンＷは、医療機関内において看護師や医療従事者が種々の物品を搬送する際に使用するものであり、例えば、処置室、病棟のナースステーション等に複数配置され得るものである。
【００２０】
物品入れＥは、図１において一例を示すように、例えば、手指を消毒するための物品たる消毒液入り容器Ｖを収容し得るものである。物品入れＥは、医療用ワゴンＷに対して着脱可能に取り付けられる。
【００２１】
以下、医療用ワゴンＷ、及び、物品入れＥの各構成について詳述する。
【００２２】
＜＜医療用ワゴン＞＞
医療用ワゴンＷは、金属製のパイプ材を主体に構成された支持体Ａと、この支持体Ａに対して上下方向に回動可能に支持されたトレーＢとを備えたものである。医療用ワゴンＷは、同一構造をなす他の医療用ワゴンＷ（図示せず）と前後方向にスタッキング可能に構成されている。
【００２３】
＜支持体Ａ＞
支持体Ａは、前部の二箇所、及び、後部の二箇所にそれぞれ配設されたキャスタａ１と、後部側のキャスタａ１の上に配されるとともに当該キャスタａ１に支持され上下方向に延びる対をなす並行フレームたる左右の起立フレーム２、３と、左右の起立フレーム２、３の上端部から連続して延設された左右のハンドルフレーム４、５と、これら左右のハンドルフレーム４、５の前端部から前方に向かって連続して延設された直線状をなす左右の側支持部１１を有した上のトレー支持フレーム１とを備えている。
【００２４】
上のトレー支持フレーム１の上には、トレーＢ（上のトレー）が配されている。前側のキャスタａ１の上には、上のトレー支持フレーム１と略同一の構成をなす下のトレー支持フレーム７が配されている。
【００２５】
下のトレー支持フレーム７における直線状をなす左右の側支持部７１の後端部は、左右の起立フレーム２、３の下端部近傍に接続している。下のトレー支持フレーム７の上には、トレーＢ（下のトレー）が配される。上のトレー支持フレーム１と下のトレー支持フレーム７との間には、上のトレー支持部フレームと略同一の構成をなす中間のトレー支持フレーム６が配されている。中間のトレー支持フレーム６における直線状をなす左右の側支持部６１の後端部は、左右の起立フレーム２、３の上端部近傍に接続している。中間のトレー支持フレーム６の上には、トレーＢ（中間のトレー）が配される。
【００２６】
左右の起立フレーム２、３間には、直線状をなす第一の連結フレーム８が架設されている。左右のハンドルフレーム４、５間には、直線状をなす水平フレームである第二の連結フレーム９が架設されている。
【００２７】
ここで、右のハンドルフレーム５における傾斜フレームである直線ハンドルフレーム部５１は、物品入れＥと係合する部分を有している。すなわち、直線ハンドルフレーム部５１は、その上面側、下面側、及び、左右の側面側が物品入れＥに当接し得るようになっている。そして、物品入れＥは、直線ハンドルフレーム部５１に係わり合うことによって、所定の取付位置から下方、上方、略水平な前後方向、及び、略水平な左右方向に移動することが禁止され得るものとなっている。なお、物品入れＥと直線ハンドルフレーム部５１との係わり合いについては、後で詳述する。
【００２８】
第二の連結フレーム９は、物品入れＥと係合する部分を有している。すなわち、第二の連結フレーム９は、その上面側、前面側、及び、後面側が物品入れＥに当接し得るようになっている。そして、物品入れＥは、第二の連結フレーム９に係わり合うことによって、所定の取付位置から下方、及び、前後方向に移動することが禁止され得るものとなっている。なお、物品入れＥと第二の連結フレーム９との係わり合いについては、後で詳述する。
【００２９】
この実施形態では、支持体Ａにおけるキャスタａ１以外の部分は、金属製のパイプ材により構成されており、複数のパイプ材を所定の箇所で折り曲げるとともに所定の箇所を溶接により強固に連結することにより構成されている。後部側のキャスタａ１にはロック機構ａ１１を備えており、使用者の足の操作によって所定の位置で車輪を固定することができるようになっている。
【００３０】
上のトレー支持フレーム１は、トレーＢの側部を下側から支持し得る左右の側支持部１１と、これら左右の側支持部１１における前端部間を連結しトレーＢの前部を下側から支持し得る前支持部１２と、トレーＢに対して着脱可能に接続し得るトレー取付部１３とを備えている。
【００３１】
左右の起立フレーム２、３は、上下方向に延びてなり、後側のキャスタａ１に支持されている。左右の起立フレーム２、３は、略平行に配されている。左右の起立フレーム２、３の略中間部間には、左右方向に直線状に延びる第一の連結フレーム８が配されている。
【００３２】
左右のハンドルフレーム４、５は、使用者が通常の使用状態において把持し得る部位を構成している。左右のハンドルフレーム４、５は、左右対称に配されている。すなわち、左のハンドルフレーム４と右のハンドルフレーム５とは、それぞれ独立して設けられている。
【００３３】
左右のハンドルフレーム４、５は、左右の起立フレーム２、３の上端部から連続し、側面視において下部分が前部分よりも前に位置した態様すなわち側面視において後傾した態様で直線状に延びた傾斜フレームである直線ハンドルフレーム部４１、５１と、これら直線ハンドルフレーム部４１、５１の上端部からそれぞれ連続し、側面視において略二分の一円弧状に湾曲する部位を有してなる湾曲ハンドルフレーム部４２、５２とを備えている。
【００３４】
水平フレームである第二の連結フレーム９は、左右のハンドルフレーム４、５とほぼ同じ大きさのフレームにより形成された水平方向に直線状に延びてなるものである。第二の連結フレーム９は、左右のハンドルフレーム４、５における略中間部間に架設されている。すなわち、第二の連結フレーム９は、その一端部が左のハンドルフレーム５の内側部に接続したものであり、他端が右のハンドルフレーム６の内側部に接続したものである。より具体的に言えば、第二の連結フレーム９における左右の各端部は、水平面に対して傾斜した態様をなす直線ハンドルフレーム部４１、５１における上部の内側面に溶接によって剛結されている。
【００３５】
下のトレー支持フレーム７や中間のトレー支持フレーム６は、上のトレー支持フレーム１と略同一の構成をなしているため、詳細な説明を省略する。また、下のトレー支持フレーム７や中間のトレー支持フレーム６が支持する下のトレーＢや中間のトレーも、上のトレーＢと同一の略同一の構成をなしているため説明を省略する。
【００３６】
＜トレーＢ＞
トレーＢは、合成樹脂により形成されている。トレーＢは、支持体Ａに対して回動可能且つ着脱可能に構成されている。トレーＢは、平面視において前後方向に長い略長方形状をなす物品載置面ｂ３を有したトレー本体ｂ１と、このトレー本体ｂ１の周縁に設けられた周壁部材ｂ２とを備えている。
【００３７】
＜＜物品入れＥ＞＞
オプションである物品入れＥは、医療用ワゴンＷに対して着脱可能に構成されたものであり、図示例では、医療用ワゴンＷにおける正面視における右側に取り付けられている。
【００３８】
この実施形態では、物品入れＥ、及び、医療用ワゴンＷには、衛生上の不具合の発生を抑制するため、ねじ等の止着具を介在させない取付構造が採用されている。換言すれば、物品入れＥ、及び、医療用ワゴンＷは、従来では必須の構成であったねじ等の止着具を挿入させるための穿孔部分やスリット状の部分が外部に表出しないようになっている。
【００３９】
物品入れＥは、上側に物品である消毒液入り容器Ｖを出し入れするための開口部ｋを有し金属製のフレーム部材を用いて籠状に形成された本体Ｆと、この本体Ｆに設けられ水平フレームである第二の連結フレーム９と係わり合い本体の前方、後方、及び、下方への移動を規制し得る水平フレーム係合部Ｇと、本体Ｆに設けられ傾斜フレームたる右の直線ハンドルフレーム部５１と係わり合い本体Ｆの前方、及び、後方への移動を規制し得る傾斜フレーム係合部Ｈとを備えている。以下、これらについて詳述する。
【００４０】
＜本体Ｆ＞
本体Ｆは、種々の物品を収容し得る機能を発揮する籠状のものである。すなわち、本体Ｆは、比較的細径をなす複数本のフレーム部材を適宜配してなり、当該複数本のフレーム部材によって囲まれた物品を収容するための収容空間ｓｐを形成している。本体Ｆは、収容空間ｓｐを形成するための単数又は複数本のフレーム部材により構成された前フレーム部ｆ１、後フレーム部ｆ２、左右のフレーム部ｆ３、ｆ４、下のフレーム部ｆ５を主体に構成されている。なお、本体Ｆは、医療用ワゴンＷに取り付けられた状態で、右の直線ハンドルフレーム部５１よりも外側に位置している。
【００４１】
前フレーム部ｆ１は、収容空間ｓｐに配される物品の前側に位置し当該物品の前側への移動を規制し得るものである。後フレーム部ｆ２は、収容空間ｓｐに配される物品の後側に位置し当該物品の後側への移動を規制し得るものである。左右のフレーム部ｆ３、ｆ４は、収容空間ｓｐに配される物品の左右側にそれぞれ位置し当該物品の左右側への移動を規制し得るものである。下のフレーム部ｆ５は、収容空間ｓｐに配される物品の下側に位置し当該物品の下側への移動を規制し得るものである。
【００４２】
＜水平フレーム係合部Ｇ＞
水平フレーム係合部Ｇは、本体Ｆの内側部すなわち左のフレーム部ｆ３から内方に向かって突出した態様で設けられたものである。水平フレーム係合部Ｇは、側面視において水平フレームである第二の連結フレーム９を囲む下向きコ字状の部分を備えている。
【００４３】
水平フレーム係合部Ｇは、比較的細径をなすフレーム部材を所定の形状に形成してなるものである。この実施形態では、水平フレーム係合部Ｇは金属製のフレーム部材を折り曲げることによって形成されている。水平フレーム係合部Ｇは、第二の連結フレーム９の前側に位置し本体Ｆが第二の連結フレーム９に対して後方に移動することを規制し得る前側の移動規制部材ｇ１と、第二の連結フレーム９の上側に位置し本体Ｆが第二の連結フレーム９に対して下方に移動することを規制し得る上側の移動規制部材ｇ２と、第二の連結フレーム９の後側に位置し本体Ｆが第二の連結フレーム９に対して前方に移動することを規制し得る後側の移動規制部材ｇ３と、前側の移動規制部材ｇ１と本体Ｆとの間に設けられた第一連結部材ｇ４と、上側の移動規制部材ｇ２と本体Ｆとの間に設けられた第二連結部材ｇ５とを主体に構成されている。
【００４４】
前側の移動規制部材ｇ１は、第二の連結フレーム９の前側に位置した上下方向に延びた線状の部材を主体に構成されている。前側の移動規制部材ｇ１の下端部と本体Ｆにおける左のフレーム部ｆ３との間には、平面視において略Ｌ字状をなす第一連結部材ｇ４が架設されている。
【００４５】
上側の移動規制部材ｇ２は、第二の連結フレーム９の上側に位置した前後方向に延びたものであり、この実施形態では、左右に対をなして設けられている。上側の移動規制部材ｇ２は、医療用ワゴンＷの中央側すなわち内側に位置している前後方向に略水平に延びた一方の移動規制部分ｇ２１と、医療用ワゴンＷの外側側すなわち外側に位置している前後方向に略水平に延びた他方の移動規制部分ｇ２２とを備えている。一方の移動規制部分ｇ２１は、その前端部が前側の移動規制部材ｇ１の上端部に連結しており後端部が後側の移動規制部材ｇ３に連結している。他方の移動規制部分ｇ２２は、その前端部が左右方向に略水平に延びた第二連結部材ｇ５の一端部に連結しており後端部が後側の移動規制部材ｇ３に連結している。上側の移動規制部材ｇ２は、本体Ｆの上端部と略同じ高さ位置に設定されている。
【００４６】
後側の移動規制部材ｇ３は、第二の連結フレーム９の後側に位置したものであり、この実施形態では、左右に対をなして設けられた上下方向に延びた部位を主体に構成されている。後側の移動規制部材ｇ３は、医療用ワゴンＷの中央側すなわち内側に位置している一方の移動規制部分ｇ３１と、医療用ワゴンＷの外側側すなわち外側に位置している他方の移動規制部分ｇ３２と、これら一方の移動規制部分ｇ３１と他方の移動規制部分ｇ３２の下端部間を繋ぐ連結部分ｇ３３とを備えている。後側の移動規制部材ｇ３は、背面視において上向きコ字状をなしている。
【００４７】
第一連結部材ｇ４は、前側の移動規制部材ｇ１と本体Ｆとの間を一定の間隔をあけて繋ぐ役割を担うものである。第一連結部材ｇ４の外側の端部は、本体Ｆにおける左のフレーム部ｆ３の前後方向中央部に接続しており、左のフレーム部ｆ３の上下方向中間部における上部に接続している。
【００４８】
第二連結部材ｇ５は、上側の移動規制部材ｇ２における他方の移動規制部分ｇ２２と本体Ｆとの間を一定の間隔をあけて繋ぐ役割を担うものである。第二連結部材ｇ５の外側の端部は、本体Ｆにおける左のフレーム部ｆ３の前後方向中央部よりも後部に接続しており、左のフレーム部ｆ３の上端部に接続している。
【００４９】
＜傾斜フレーム係合部Ｈ＞
傾斜フレーム係合部Ｈは、本体Ｆの内側部すなわち左のフレーム部ｆ３の前後方向中間部から内方に向かって突出した態様で設けられたものである。傾斜フレーム係合部Ｈは、正面視において傾斜フレームである右の直線ハンドルフレーム部５１を囲むコ字状の部分を備えている。
【００５０】
傾斜フレーム係合部Ｈは、比較的細径をなすフレーム部材を所定の形状に形成してなるものである。この実施形態では、傾斜フレーム係合部Ｈは金属製のフレーム部材を折り曲げることによって形成されている。
【００５１】
傾斜フレーム係合部Ｈは、正面視において水平フレーム係合部Ｇよりも下に配設されている。傾斜フレーム係合部Ｈは、側面視において、水平フレーム係合部Ｇよりも前に配設されている。傾斜フレーム係合部Ｈは、第二の連結フレーム９よりも下に位置している直線ハンドルフレーム部５１における所定の部位に当接し得るようになっている。
【００５２】
傾斜フレーム係合部Ｈは、側面視において後傾している右の直線ハンドルフレーム部５１の前側（上側）に位置し、当該右の直線ハンドルフレーム部５１と係わり合い本体Ｆにおける後方及び下方への移動（すなわち、第二の連結フレーム９を回動中心とした下方への回転）を規制し得る上側の移動規制部材ｈ１と、側面視において後傾している右の直線ハンドルフレーム部５１の後側（下側）に位置し、当該右の直線ハンドルフレーム部５１と係わり合い本体Ｆにおける前方及び上方への移動（すなわち、第二の連結フレーム９を回動中心とした上方への回転）を規制し得る下側の移動規制部材ｈ２と、これら上側の移動規制部材ｈ１と下側の移動規制部材ｈ２とを繋ぐ連結部材ｈ３とを備えている。
【００５３】
上側の移動規制部材ｈ１、及び、下側の移動規制部材ｈ２は、左右方向に延びてなる直線状のものである。これら上側の移動規制部材ｈ１と下側の移動規制部材ｈ２は、略平行に配設されている。上側の移動規制部材ｈ１と下側の移動規制部材ｈ２は、本体Ｆの前後方向中央部に対応する位置に配設されている。これら上側の移動規制部材ｈ１の一端部たる正面視における右側の端部と下側の移動規制部材ｈ２の一端部たる正面視における右側の端部との間を上下方向に延びた連結部材ｈ３が繋いでいる。連結部材ｈ３は、上下方向に延びるものであり、本体Ｆにおける左のフレーム部ｆ３の前後方向中央部の下部に接続されている。
【００５４】
以上に説明した物品入れＥは、本体Ｆと水平フレーム係合部Ｇとの間に、医療用ワゴンＷを構成する右の直線ハンドルフレーム部５１が位置することにより、本体Ｆの左右方向の移動が規制されている。より具体的に言えば、物品入れＥは、本体Ｆにおける左のフレーム部ｆ３と水平フレーム係合部Ｇにおける他方の移動規制部分ｇ２２との間に、右の直線ハンドルフレーム部５１を位置させ得るように設定されている。
【００５５】
物品入れＥの医療用ワゴンＷに対する取り付けは、例えば次のように行う。
【００５６】
使用者は、物品入れＥの本体Ｆを把持し、外側から右のハンドルフレーム５によって囲まれた空間内を通過させ、その後、第二の連結フレーム９に対して上側から水平フレーム係合部Ｇを係わり合わせる。この第二の連結フレーム９に対して水平フレーム係合部Ｇを係合させる操作と略同時に、右の直線ハンドルフレーム部５１に対して外側から傾斜フレーム係合部Ｈを係わり合わせる。
【００５７】
上記の取り付け操作を経て、物品入れＥが医療用ワゴンＷに対して取り付けられた取付状態においては、その物品入れＥは、鉛直方向、左右方向、及び、前後方向に力を受けた場合でも、医療用ワゴンＷから離脱しないようになっている。
【００５８】
以上説明したように、本実施形態における物品入れＥの取付構造は、家具である医療用ワゴンＷにおける水平フレームたる第二の連結フレーム９と傾斜フレームである直線ハンドルフレーム部５１にオプションたる物品入れＥを支持させるようにしている。そして、物品入れＥが、物品の収容空間ｓｐを有した本体Ｆと、この本体Ｆに設けられ第二の連結フレーム９と係わり合い本体Ｆの前方、及び、下方への移動を規制し得る水平フレーム係合部Ｇと、本体Ｆに設けられ直線ハンドルフレーム部５１と係わり合い本体Ｆの後方への移動を規制し得る傾斜フレーム係合部Ｈとを備えている。このため、傾斜フレームである直線ハンドルフレーム部５１に関連させて物品入れＥを好適に支持させることができるようにした取付構造を提供することができるものとなる。つまり、水平フレーム係合部Ｇに少なくとも前方及び下方への移動を規制し得る構造を設けているとともに、傾斜フレーム係合部Ｈには少なくとも後方への移動を規制し得る構造を設けているため、医療用ワゴンＷに物品入れＥが好適に支持され得るものとなる。
【００５９】
本体Ｆと水平フレーム係合部Ｇとの間に、傾斜フレームたる直線ハンドルフレーム部５１が位置することにより、本体Ｆの左右方向の移動が規制されている。このため、傾斜した態様をなす直線ハンドルフレーム部５１が本体Ｆと水平フレーム係合部Ｇとの間に挟まれた態様を構成し得るものとなり、バランスに優れた物品入れＥの取付構造を提供し得るものとなっている。
【００６０】
物品入れＥが、金属製のフレーム部材を用いて籠状に形成されたものである。このため、軽量化しやすい態様で、種々の物品を収容し得るものとなっている。
【００６１】
水平フレーム係合部Ｇが、側面視において第二の連結フレーム９を囲む下向きコ字状の部分を備えている。このため、物品入れＥの前後及び下方向への移動を好適に規制し得るものとなっている。
【００６２】
傾斜フレーム係合部Ｈが、正面視において直線ハンドルフレーム部５１を囲むコ字状の部分を備えている。このため、水平フレーム係合部Ｇと協働して、物品入れＥの移動を好適に規制し得るものとなっている。
【００６３】
水平フレーム係合部Ｇ、及び、傾斜フレーム係合部Ｈが、それぞれ本体Ｆの内側部に設けられたものであり、傾斜フレーム係合部Ｈが、正面視において水平フレーム係合部Ｇよりも下に配設されている。このため、傾斜した態様で配された直線ハンドルフレーム部５１に好適に対応した位置に傾斜フレーム係合部Ｈが配設されたものとなっている。
【００６４】
水平フレームたる第二の連結フレーム９の一端が傾斜フレームである直線ハンドルフレーム部５１の内側部に接続したものであり、この直線ハンドルフレーム部５１よりも外側に本体Ｆが位置している。このため、医療用ワゴンＷの外側に本体Ｆを配設することができるため、物品を出し入れしやすいものとなっている。
【００６５】
傾斜フレーム係合部Ｈが、直線ハンドルフレーム部５１と係わり合い本体Ｆにおける前方及び上方への移動を規制し得る抜け止め部材たる下側の移動規制部材ｈ２を備えている。このため、利用者が不意に物品入れＥに後方から接触した場合でも、物品入れＥの浮き上がりが好適に抑制され得るものとなっている。
【００６６】
なお、本発明は、以上に詳述した実施形態に限られるものではない。
【００６７】
家具は、医療用ワゴンに限られるものではない。すなわち、家具は、水平フレームと傾斜フレームにオプションを支持させ得るものであればどのようなものであってもよい。
【００６８】
オプションは、物品入れに限られるものではないのはもちろんのことである。
【００６９】
オプションは、上述した実施形態では、家具の正面視における右側に着脱可能に構成していたが、左側に付け得るように構成したものであってもよいのはもちろんである。例えば、上述した実施形態で示したオプションを前後対称にすれば、左側に付け得る構成を実現し得るものとなる。或いは、一つのオプションに、家具の右側に付け得る構成と左側に付け得る構成を一体に設けたものであってもよい。
【００７０】
その他、各部の具体的構成についても上記実施形態に限られるものではなく、本発明の趣旨を逸脱しない範囲で種々変形が可能である。
【符号の説明】
【００７１】
９…第二の連結フレーム（水平フレーム）
５１…直線ハンドルフレーム部（傾斜フレーム）
Ｅ…物品入れ（オプション）
Ｆ…本体
Ｇ…水平フレーム係合部
Ｈ…傾斜フレーム係合部
Ｗ…医療用ワゴン（家具）
【図１】
2018007720.tif 000003
【図２】
2018007720.tif 000004
【図３】
2018007720.tif 000005
【図４】
2018007720.tif 000006
【図５】
2018007720.tif 000007
【図６】
2018007720.tif 000008
【図７】
2018007720.tif 000009
【図８】
2018007720.tif 000010
【図９】
2018007720.tif 000011